(57)【要約】同期信号によって規定される受信信号内の時間リファレンスを識別する方法において、既知の送信パラメータに基づいて同期シーケンスのレプリカを生成し、同期シーケンスのレプリカと、受信信号から抽出されたシーケンスと比較し、前記受信信号内のリファレンスポイントを識別する方法が得られる。
2008126882.tif 000002
【特許請求の範囲】
【請求項１】
通信ネットワークの送信機から受信される信号内の時間リファレンスを識別する方法であって、
少なくとも１つの既知の送信パラメータに基づいて同期シーケンスのレプリカを生成すること、及び
前記同期シーケンスのレプリカを前記送信機から受信される前記信号から抽出されたシーケンスと比較し、前記送信機から受信される前記信号内のリファレンスポイントを識別すること
を含むことを特徴とする時間リファレンス識別方法。
【請求項２】
前記送信機は、複数のサブキャリア上で１つ又は複数の信号を送信するように構成され、前記既知の送信パラメータは、以下の送信パラメータ：
パイロットチャネルシンボル位置、
前記信号のスクランブルコード、及び
前記信号のサブキャリアマップ
のうちの１つ又は複数を含むことを特徴とする請求項１に記載の時間リファレンス識別方法。
【請求項３】
前記少なくとも１つの既知の送信パラメータは、前記送信機との以前の通信から抽出されたものであることを特徴とする請求項１又は２に記載の時間リファレンス識別方法。
【請求項４】
受信される各サブキャリアの部分的な同期シーケンスレプリカを生成すること、及び
前記部分的な同期シーケンスレプリカを単一の同期シーケンスレプリカに結合すること
を含むことを特徴とする請求項１又は２に記載の時間リファレンス識別方法。
【請求項５】
前記同期シーケンスは予め規定される送信間隔に対応していることを特徴とする請求項１〜４のいずれか１項に記載の時間リファレンス識別方法。
【請求項６】
前記予め規定される送信間隔は送信スロットであることを特徴とする請求項５に記載の時間リファレンス識別方法。
【請求項７】
前記同期シーケンスのレプリカを受信信号から抽出されたシーケンスと比較するステップは、前記同期シーケンスのレプリカをサンプル毎に受信された信号から抽出された前記シーケンスと組み合わせ、前記信号間のピーク相関値を決定することを特徴とする請求項１〜６のいずれか１項に記載の時間リファレンス識別方法。
【請求項８】
前記ピーク相関値が所定の閾値を超える場合、前記ピークの時間位置を受信される前記信号内の前記時間リファレンスとして識別することを含むことを特徴とする請求項７に記載の時間リファレンス識別方法。
【請求項９】
通信ネットワークの送信機と受信機とを同期させる方法であって、
請求項１〜８のいずれか１項に記載の方法を使用して、前記送信機から受信される信号内の時間リファレンスを識別すること、及び
前記受信機タイミングを前記識別される時間リファレンスを参照して同期させること
を含むことを特徴とする通信ネットワークの送信機と受信機とを同期させる方法。
【請求項１０】
通信ネットワークと通信する移動端末における方法であって、
請求項９に記載の方法により前記通信ネットワークの送信機との同期の実行を試行すること、及び、該同期の試行が失敗した場合、
代替の方法を使用して前記送信機との同期を試行すること
を含むことを特徴とする移動端末通信方法。
【請求項１１】
前記移動端末の起動時及び／又は前記送信機の送信パラメータが変化したときに実行されることを特徴とする請求項１０に記載の移動端末通信方法。
【請求項１２】
通信ネットワークと通信する移動端末における移動端末通信方法であって、前記通信ネットワークに関連する少なくとも１つの既知の送信パラメータを記憶し、該少なくとも１つの既知の送信パラメータを、前記移動端末を前記通信ネットワークに同期させる際に使用することを特徴とする移動端末通信方法。
【請求項１３】
請求項９又は１０のいずれかに記載の方法を使用して前記移動端末をさらに同期させることを特徴とする請求項１２に記載の移動端末通信方法。
【請求項１４】
前記送信パラメータは以下の送信パラメータ：
パイロットチャネルシンボル位置、
信号のスクランブルコード、及び
前記信号のサブキャリアマップ
のうちの１つ又は複数を含む、請求項１３に記載の移動端末通信方法。
【請求項１５】
受信機及び処理装置を備える移動端末であって、該処理装置は、請求項１〜１４のいずれか１項に記載の方法を該移動端末に実施させるように構成されていることを特徴とする移動端末。
【発明の詳細な説明】
【技術分野】
【０００１】
本発明は、セルラ通信ネットワークにおいて、移動端末でセルタイミング捕捉を実行するのに使用される方法に関し、特に、セルタイミング同期に必要な時間リファレンスを識別する方法に関する。本発明の好ましい実施形態は、ＯＦＤＭ無線通信ネットワークに関連して説明するが、本発明は、その例示的な実施態様に限定されない。
【背景技術】
【０００２】
初期セルタイミング同期は、３ＧＰＰの提案されているＬＴＥ（ｌｏｎｇ  ｔｅｒｍ  ｅｖｏｌｕｔｉｏｎ）規格等のＯＦＤＭ移動端末において、ＯＦＤＭダウンリンク伝送を復号化する際に、重要且つ必要なステップである。提案されているこの規格の下で動作するシステムは、多くの場合、スーパー３Ｇネットワークと呼ばれる。
セルタイミングを捕捉する従来の方法は、ネットワークのセル同期チャネルを使用することである。このプロセスでは、移動端末には、同期チャネルの構成が既知であり、移動端末は当該同期チャネルを復号することによって他のすべてのシステムパラメータ（例えば、スクランブルコード及び使用されるキャリア数）を抽出している。同期チャネルは頻繁に送信されないため、検出に比較的長い時間がかかる。
【発明の開示】
【発明が解決しようとする課題】
【０００３】
したがって、移動端末によるセルタイミング捕捉にかかる時間を短縮する方法を備えていることが有利な場合もある。
本明細書における関連技術の説明は、その関連技術が、本願の優先日において当該技術分野での普通の一般的な知識の一部を成すことを本出願人が認めることではないことに留意されたい。
【課題を解決するための手段】
【０００４】
本発明の第１の態様によれば、通信ネットワークの送信機から受信される信号内の時間リファレンスを識別する方法であって、少なくとも１つの既知の送信パラメータに基づいて同期シーケンスのレプリカを生成し、当該同期シーケンスのレプリカを送信機から受信した信号から抽出したシーケンスと比較し、それにより、送信機から受信した信号内のリファレンスポイントを識別する方法が得られる。
送信機は、複数のサブキャリア上で１つ又は複数の信号を送信するようにさらに構成されており、既知の送信パラメータは、次の送信パラメータ：パイロットチャネルシンボル位置、信号のスクランブルコード、及び信号のサブキャリアマップの１つ又は複数を含んでいる。
少なくとも１つの既知の送信パラメータは、送信機との以前の通信から導き出すことができる。
この方法は、受信される各サブキャリアの部分的な同期シーケンスレプリカを生成し、部分的な同期シーケンスレプリカを結合して単一の同期シーケンスレプリカにすることを含むことができる。同期シーケンスは予め規定される送信間隔に対応させることが可能である。
予め規定される送信間隔は好ましくは送信スロットである。
同期シーケンスのレプリカを受信信号から抽出されるシーケンスと比較するステップは、サンプル毎に、同期シーケンスのレプリカを受信信号から抽出されたシーケンスと組み合わせ、信号間のピーク相関値を決定するステップを含んでも良い。ピーク相関値が所定の閾値を超える場合、この方法は、ピークの時間位置を受信信号内の時間リファレンスとして識別するステップを含むことができる。
本発明の第２の態様によれば、通信ネットワークの送信機と受信機とを同期させる方法であって、本発明の第１の態様の一実施の形態による方法を使用して、送信機から受信される信号内の時間リファレンスを識別すること、及び受信機タイミングを識別される時間リファレンスを参照して同期させることを含む方法が得られる。
本発明のさらなる態様によれば、通信ネットワークと通信する移動端末における方法であって、上述のように通信ネットワークの送信機との同期を試行すること、及びこの同期の試行が失敗した場合、代替の方法を使用して送信機との同期を試行することを含む方法が得られる。
この方法は、好ましくは、移動端末の起動時及び／又は送信機の送信パラメータが変化したときに実行される。
本発明の第４の態様によれば、通信ネットワークと通信する移動端末における方法であって、通信ネットワークに関連する少なくとも１つの既知の送信パラメータを記憶しておき、当該少なくとも１つの既知の送信パラメータを移動端末を通信ネットワークに同期させる際に使用する方法が得られる。
この方法は、本発明の一実施の形態による方法を使用して移動端末を同期させることをさらに含むことができる。
伝送パラメータは、以下の伝送パラメータ、すなわちパイロットチャネルシンボル位置、信号のスクランブルコード、及び信号のサブキャリアマップのうちの１つ又は複数を含むことができる。
本発明のさらなる一態様によれば、受信機及び処理装置を備える移動端末が得られ、当該処理装置は、本発明の上記態様のうちの任意の１つの一実施の形態による方法を移動端末に実施させる。
以下、本発明の好ましい形態の一例を、添付図面を参照して説明するが、本発明はこれに限定されないことは明らかである。
【図面の簡単な説明】
【０００５】
図１は、本発明の一実施形態でのレプリカ同期信号を生成する方法を示す図である。
図２は、本発明の一実施形態で使用されるタイミング検出方法を示す図である。
【発明を実施するための最良の形態】
【０００６】
便宜上、３ＧＰＰ（第３世代パートナーシッププロジェクト）によって採用される用語、例えば、ユーザ機器（Ｕｓｅｒ  Ｅｑｕｉｐｍｅｎｔ）及びＵＥを本明細書の詳細な説明の全体を通じて使用する。しかし、本発明は、３ＧＰＰ規格により実施されるシステムでの用途に限定されるものではない。
本発明者らは、セル帯域幅モード及びセルスクランブルコードが事前に分かる場合、セルのパイロットチャネルを使用して、高速スロットタイミング検出を行うことが可能であると言う知見を得た。通常、移動端末が、所与のネットワークプロバイダに対してすでに初期化され、最後に使用されたセルが移動端末に記憶されている場合、帯域幅モード及びスクランブルコードは事前に分かる。このような場合、高速同期に繋がる可能性が高いため、まず、この「最後に使用された」セルに対して、まず、同期の実行を試行することにより、セルタイミングをより効率的に行うことができる。この初期試行が失敗した場合、移動端末は標準的なセル探索プロセスに進むことができる。
セル同期は、受信信号と、移動端末によって生成されるその信号のレプリカとの相互相関を取ることにより行われる。好ましい実施形態では、レプリカは、既知のパイロットチャネルシンボル位置、スクランブルコード、及びサブキャリアマップから抽出される。
図１は、本発明の一実施形態においてレプリカの生成方法の一例を示している。レプリカ生成プロセスには、多くの計算が要求される。しかし、レプリカ生成プロセスを行う必要があるのは、移動端末の起動後、又は、入力パラメータのうちの１つ、例えば、スクランブルコードの変更時だけである。
３ＧＰＰ  ＬＴＥスロットが７つのＯＦＤＭシンボルから成ることが提案されている。これらシンボルのいくつかは、既知のキャリア、又は、時間及び周波数の予め規定された位置に特定の位相及び振幅を有する既知の「シンボル」から成るいわゆる「パイロットシンボル」を含んでいる。
図１のレプリカ生成装置１００は、以下のようにしてパイロットシンボルのこの既知の時間周波数マトリックス（ｔｉｍｅ−ｆｒｅｑｕｅｎｃｙ  ｍａｔｒｉｘ）を時間領域波形に変換し、続いて、ｓｙｎｃ＿ｐｉｌｏｔ＿ｒｅｐｌｉｃａと呼ばれる周波数領域の同等物に変換する。初期ステップ１０２において、どのパイロットシンボルが受信されるかを判断するために、移動端末が受信しているサブキャリアの数を使用して、パイロットシンボルシーケンスが生成される。次に、ステップ１０４において、パイロットシーケンスが、既知のスクランブルシーケンスを使用してスクランブル化される。ステップ１０６において、使用されるサブキャリアが、既知のサブキャリアマッピングルックアップテーブルに従ってマッピングされる。この結果得られた信号は、ステップ１０８において、例えば、逆高速フーリエ変換（ＩＦＦＴ）を適用することにより時間領域信号に変換される。例示的な一実施形態では、７．６８ＭＨｚのサンプリングレートを使用して、各ＯＦＤＭシンボルがサイズ５１２のＩＦＦＴで生成され、送信される。この場合、個々のＯＦＤＭシンボルに対する演算は５１２のＦＦＴサイズで処理される。
次に、ステップ１１０において、スロットが組み立てられ、パイロットシンボルが挿入される。次に、ステップ１１２において、例えば、ＦＦＴにより、サブフレームが周波数領域に変換される。上記例に従うと、３ＧＰＰ  ＬＴＥスロットが０．５ミリ秒長であり、これは、３８４０個のサンプルから成ることを意味している。周波数領域への変換が全体スロットに対して行われる際、ＦＦＴサイズは２のべき乗の整数である必要があるため、ＦＦＴサイズ４０９６が使用される。
次に、ステップ１１４において、シンボルを結合して（ｃｏｎｊｕｇａｔｅ）、ｓｙｎｃ＿ｐｉｌｏｔ＿ｒｅｐｌｉｃａ出力を生成する。
このようにして、ｓｙｎｃ＿ｐｉｌｏｔ＿ｒｅｐｌｉｃａが既知となって、タイミング検出を図２のフローチャート２００に従って行うことができる。
ステップ２０２において、上記例では３８４０個のサンプルを含む入力データブロックがまず、使用されるＦＦＴと同じサイズになるように処理される。具体的には、ゼロをブロックに詰めること、即ち、パディングすることによってブロックが４０９６サンプルに拡張される。ステップ２０４において、結果として得られる４０９６サンプルのデータブロックが、ＦＦＴにより周波数領域信号に変換される。
ステップ２０６において、周波数領域パイロットレプリカであるｓｙｎｃ＿ｐｉｌｏｔ＿ｒｅｐｌｉｃａは、入力信号の４０９６ポイントＦＦＴで乗算される。次に、ステップ２０８において、その結果がサイズ４０９６の逆ＦＦＴ（ＩＦＦＴ）を使用して時間領域に変換される。この全体の演算は、時間領域での２つの入力信号の相互相関を取ることと数学的には同等である。次に、ステップ２１０において、ステップ２０８の逆ＦＦＴ（ＩＦＦＴ）の出力のＩ成分とＱ成分との二乗和を計算することで、ステップ２１０において相関信号のパワーが求められる。したがって、Ｉ２＋Ｑ２ブロックの出力における結果は相関パワープロファイル（ｃｏｒｒｅｌａｔｉｏｎ  ｐｏｗｅｒ  ｐｒｏｆｉｌｅ）である。
Ｉ２＋Ｑ２ブロック２１０の出力は、急なピークを含む４０９６サンプルセットである。このサンプルブロック内のピークの位置は、３８４０サンプルの入力ブロックに対する、入力内のスロット境界の位置（スロットタイミングを確定するのに使用できる）に対応している。
次に、システムは、相関プロファイルの分析を実行し、実際のスロットタイミングを確定する。この分析は、ステップ２１２において、Ｎ個のスロットにわたり各サンプル位置に関してのパワーを累積することで始まる。次に、ステップ２１４において、累積されたパワーを使用して、スロット内のどこにピークがあるかを識別する。次に、ステップ２１６において、識別されたピークのパワーが閾値レベルと比較されて、十分に強いか否かが判断される。ピークのパワーが閾値レベルを超える場合、フレームエッジが識別されたと考えられる。この場合、確定されたピーク位置から循環プリフィックス長を差し引くことにより、スロットタイミングが確定される。
本発明の特定の実施形態は、従来のセルタイミング確定方法と比較して非常に良好な性能を有する。相互相関は、ＦＦＴを使用してスロット全体に対して一度に行われるため、効率的なＦＦＴ実施が可能な場合にはその結果を素早く得ることができる。
本明細書において開示及び定義された本発明が、前述した説明若しくは図面から明らかな個々の特徴の２つ以上のすべての均等物の組み合わせに拡張されることが理解されよう。これら異なる組み合わせはすべて、本発明の各種の均等物を構成する。
本明細書において使用される「備える（ｃｏｍｐｒｉｓｅ）」等の用語は、「含む（ｉｎｃｌｕｄｅ）」と同等の用語であることを理解されたい。
この出願は、２００７年４月５日に出願されたオーストラリア仮特許出願第２００７９０１８３５号を基礎とする優先権を主張し、その開示のすべてをここに取り込む。
【図１】
2008126882.tif 000003
【図２】
2008126882.tif 000004
【国際調査報告】
2008126882.tif 000005
2008126882.tif 000006
2008126882.tif 000007
2008126882.tif 000008